Podtech/llm-jp-corpus-v4-ja_patent huggingface dataset:
(57)【要約】      （修正有）【課題】折畳みヘアーブラシのヒンジ部の突設や操作の不安定さ解消し、折畳み時も使用時もデザイン性にすぐれ、さらに安定して操作できるヘアーブラシを提供する。【解決手段】ブラシ台部１と柄部３を回動と挿入可能に構成し、それぞれの一部に同一角度の斜面を形成し、折畳み時はそれぞれの斜面４が密着し、使用時はそれぞれの斜面が同一斜面となるように構成する。【選択図】図３
0003165359.tif 000002
【実用新案登録請求の範囲】
【請求項１】
ブリッスル出没式ヘアーブラシにおいて、箱体に形成されたブラシ台部と前記ブラシ台部に挿入可能な略長方体の連結部を有する柄部とに構成し、ブラシ台部の長手方向の一端は端部に向かって負の傾斜角を持つ斜面を有し、斜面上辺と斜面下辺に平行な二等分線の高さで斜面巾より狭く開口部が斜めコの字状の水平貫通孔を長手方向に切設し、前記連結部を水平貫通孔に内接し挿入可能に形成し、連結部の一端は水平貫通孔を介してブラシ台部の内部部材と結合し、又連結部の他端は薄肉のヒンジ部を介し柄部を回動自在に形成し、さらに柄部はヒンジ部より他端に順次挿入部・傾斜部・握り柄部に構成し、挿入部は連結部の長手方向に垂直な断面と同一断面でブラシ台部斜面の前記二等分線から斜面下辺までの水平長を有し、傾斜部はブラシ台部斜面のコの字状開口部と同一巾で同一傾斜角となる様に設計し、握り柄部は使用時に役をなす様に構成したことを特徴とする折畳みヘアーブラシ。
【考案の詳細な説明】
【技術分野】
【０００１】  本考案は携帯時には折畳んでコンパクトになり、使用時には通常のブラシと同等の形状と操作が可能なヘアーブラシに関するものである。
【背景技術】
【０００２】  一般に折畳みヘアーブラシはブラシ台部と柄部とをヒンジ部により回動し、折畳み時には柄部がブリッスル上端表面に接するように成型し、使用時にはブラシ台部底面と柄部底面が同一平面となるように設計する。
その為ヒンジ部は、折畳み時と使用時の両体勢の回転の中心位置に設置する必要があり、結果柄部より突設されることになる。その為使用時にはヒンジ部が頭髪や時には頭皮にも触れる事となり整髪時に不快感を覚え、またデザイン的にもブラシ台部から柄部への滑らかなつながりが阻害されるという問題点もあった。【０００３】  この改善策として特許文献１に見られるようにブラシ台部側と柄部側の２箇所に回動軸を設置し、その間を摺動自在な結合部材で連結することによりヒンジ部が突設されるのを防ぐ方法もあるが、この場合２箇所の回動軸の平行になんら配慮が無く、折畳み最中に回動軸の平行が保てず操作が不安定になるなどの問題点があった。
【先行技術文献】
【特許文献】
【０００４】
【特許文献１】  実開平７−３９５７７号公報
【考案の概要】
【考案が解決しようとする課題】
【０００５】  本考案はブリッスル出没式ヘアーブラシの為、上記に見られるようなブリッスル固定式ヘアーブラシとは異なりブラシ台部の構造が箱体の故に従来に無い機構によりヒンジ部の突設や操作の不安定さを解消し、折畳み時も使用時もデザイン性にすぐれさらに安定して操作できるヘアーブラシを提供せんとするものでる。
【課題を解決するための手段】
【０００６】  ブリッスル出没式ヘアーブラシにおいて、上記目的を達成する為に箱体に形成されたブラシ台部と前記ブラシ台部に挿入可能な略長方体の連結部を有する柄部とに構成し、ブラシ台部の長手方向の一端は端部に向かって負の傾斜角を持つ斜面を有し、斜面上辺と斜面下辺に平行な二等分線の高さで斜面巾より狭く開口部が斜めコの字状の水平貫通孔を長手方向に切設し、前記連結部を水平貫通孔に内接し挿入可能に形成し、連結部の一端は水平貫通孔を介してブラシ台部の内部部材と結合し、又連結部の他端は薄肉のヒンジ部を介し柄部を回動自在に形成し、さらに柄部はヒンジ部より他端に順次挿入部・傾斜部・握り柄部に構成し、挿入部は連結部の長手方向に垂直な断面と同一断面でブラシ台部斜面の前記二等分線から斜面下辺までの水平長を有し、傾斜部はブラシ台部斜面のコの字状開口部と同一巾で同一傾斜角となる様に設計し、握り柄部は使用時に役をなす様に構成したことを特徴とする。
【考案の効果】
【０００７】  本考案のヘアーブラシによれば、折畳み時にはブラシ台部と柄部とが密着して一体となり、使用時にはヒンジ部が突設されることなくブラシ台部と柄部は滑らかに繋がり自然な操作が可能となる
【図面の簡単な説明】
【０００８】
【図１】折畳み時の全体斜視図である。
【図２】使用時のヒンジ部付近の斜視図である。
【図３】図１のＡ−Ａ’の一部断面図である。
【図４】図２のＢ−Ｂ’の一部断面図で柄部を折畳み時から回動した直後の状態である。
【図５】図２のＢ−Ｂ’の一部断面図である。
【図６】実施例の一部模式図である。
【考案を実施するための形態】
【０００９】  使用時は本来の使い勝手を損なわず、使用後には安定した操作で折畳みが可能で、折畳み後の形態も一体感があり安心して携帯できるヘアーブラシを実現した。
【実施例】
【００１０】  図１の折畳み状態から柄部２を１８０度回動させ図４の状態にし、その後ブラシ台部１に挿入し図２の状態として使用する。
但し、ブリッスル自体をより柄部２の近くまで配置する場合にはブリッスルの収納場所を考慮する必要があり、図６の実施例の連結部８のように肉厚部９を狭くし、内部構造を隠す為の蔽い板１０を被せると見た目がきれいである。蔽い板１０は無くても機能的には問題は無い。本考案の主体は折畳みの構造にある為ブリッスルの配置自体は省略する。【００１１】  蔽い板１０は実施例の連結部８と実施例の柄部１３の摺動操作に遅れて摺動させる為、ストッパー１１を設置する。又凹部１２はブラシ台部１に形成する凸部と相対応させ、柄部２をブラシ台部１に係脱可能に構成する。
さらに柄部２の摺動操作の始点・終点を確認する為に、ブラシ台部１と、柄部２もしくは連結部６との相接する部分にそれぞれ凸部・凹部を設け緊密に嵌合させるようにすると良い。これは同時に使用時の柄部２の抜出し防止の役目も果たすことになる。
【符号の説明】
【００１２】  １  ブラシ台部  ２  柄部  ３  握り柄部  ４  傾斜部  ５  挿入部  ６  連結部  ７  薄肉のヒンジ部  ８  実施例の連結部  ９  肉厚部  １０  蔽い板  １１  ストッパー  １２  凹部  １３  実施例の柄部
【図１】
0003165359.tif 000003
【図２】
0003165359.tif 000004
【図３】
0003165359.tif 000005
【図４】
0003165359.tif 000006
【図５】
0003165359.tif 000007
【図６】
0003165359.tif 000008
(57)【要約】      （修正有）【課題】製造が簡単で安価な、コンパス、分度器及び三角定規の機能を併せ持った文具を提供する。【解決手段】リングの内面全周に渡り溝を設け、その溝にリングの内径に直径部品をはめ込み、溝の内面を自由に回転して、自由に移動出来る様にして直径部品の上に移動可能な部品を取り付けて置く。本体リングの内面に０.５度単位の目盛を付けて、直径部品を本体内面の中心点を軸として回転する事により、描こうとする物体の角度を知ることが出来る。中心点を軸に直径部品の上を、中心点から本体リングの外側に動かす事により、直径部品の上に１ｍｍ単位で目盛を付けて長さを知る事が出来る。アタッチメントとして、直径部品に設けてある挿入口に鉛筆又は、ナイフが取り付けられてなる。【選択図】図１
0003165361.tif 000002
【実用新案登録請求の範囲】
【請求項１】
コンパス、分度器及び、三角定規の機能を併せ持った文具であって同心円状の重な    る大小の円を描いたり、その上内角度の異なる半円展開図を描き、コンパスに取り付    けた鉛筆をナイフに交換する事によって切断出来る文具。
【考案の詳細な説明】
【技術分野】
【０００１】
コンパス、分度器及び、三角定規の機能を併せ持った文具に関する技術であり、特に新学期の時期に新しく文具を揃える時には、余分な文具を揃える必要が無い上、就学時期でなくともコンパス、分度器及び三角定規の一点を購入すれば、3点が購入できて、経済的な文具で有る。
【背景技術】
【０００２】
現存するコンパスで、同心円の円を描く時半径が大きく成るとコンパスの製造的な問題で、針側と鉛筆側の頂点が1つであって手で回している為、半径が大きく成ると上から付けた状態になりコンパスが開いて仕舞い１つの円でも最初と最後が一致しなくなる。
【考案の概要】
【考案が解決しようとする課題】
【０００３】
本考案の器具を大中小の３種類用意して置けば、大は工業用に小は文具として使用する事が出来、中はその時点の必要に応じて工業用か文具か決める。
【課題を解決するための手段】
【０００４】
現在使用中のコンパス、分度器、三角定規の、能力を併せ持った文具であり、円を書くだけで無く、コンパスに取り付けた鉛筆をナイフ等に交換すれば紙だけでなく木材、金属、ガラス等も切断出来る。
【考案の効果】
【０００５】
上記の物が在れば、製造も簡単で安価な上、多様な能力を持っているので数点持つ必要が無く、1点の用意で充分である。
【図面の簡単な説明】
【０００６】
【図１】本考案文具の上部からの図である
【図２】図１の透明なアクリル材の直径部分に置き内側を自由に動くと同時に、本体の強度を保ち内側に0,5度単位で付けた印を設け、内角度を知り、又文具の強度を高めている。
【図３】外側の透明で下部の見えるアクリルで作製した物の直径部分に取り付けたアタッチメントで表、裏、横からの図である。
【図４】本体の長径部分に取り付けた物で直径部分の中心点より1mm単位で目盛りを付けて長さを知る
【実施例】
【０００７】
リングの内面全周に渡り溝を設け、その溝に、リングの内径の直径具材をはめ込み、溝の内面を自由に回転して、自由に移動出来る様にし、直径具財の上に、移動可能な具財を取り付けて置く、その上で本体リングの内面に０．５度単位の目盛を付けて、直径具財を本体内面の、中心点を軸として動かす事により描こうとする物体の角度を知る事が出来、中心点を軸  に直径具財の上を、中心点から本体リングの外側に動かす事により直径具材の上に1mm単位で目盛を付けて、長さを知る事が出来る。
直径具財２に取り付けた８を中心点4より５ｃｍ所に置き４を中心に１回転させて円を書き、その内側か、外側に１ｃｍでも２cmでも差のある円を描けば、同直径の円が出来上がり、同様に８につけてある鉛筆をナイフに交換すれば、同心円の輪が切断出来て便利である。
【符号の説明】
【０００８】
１a  本体は透明なアクリル板で構成され、裏側は外側と内側で段差を付けて、外側の本体と内側の直径部分に段差が在る為動きが自由である。
1b  2a  突起物がはまり自由に動く
1c  2bが1bから外れない様に支える部分
２  １の中心部に有り１の２枚で構成された溝の間を動く
2b  1bにはまる
３  アタッチメント５の挿入口である
４  この文具本体の中心点である
５  この文具の主要な部品で２の上を自由に動き２に1mm単位で目盛を付け現在の長さを知る
６  アタッチメントの裏からの図で８角ナットを埋め込む
７  ５を８と一緒で5を締め付ける上８の下にワッシャーを置き締め付ける力を大きくする
８  ５を７と一緒で締めるが手動の為７より１回り大きくする
９  ５で実際使用する時の鉛筆又は黒芯の入る所
１０  ５で実際使用する時にナイフが入る位置
１１  アタッチメントの先で１の内側に付けた1度単位の目盛を指し内角度を知る
１２  アタッチメントに埋め込んだ７と８を締めるナット
１３  １の内側付けた1度単位の内角度の目安
１４  ２に付けた１mm単位の長さの目安
【考案を実施するための形態】
【０００９】
就学時に必要以上の、学用品を各種揃える必要が無く、家計の軽減の助けになる。
【図１】
0003165361.tif 000003
【図２】
0003165361.tif 000004
【図３】
0003165361.tif 000005
【図４】
0003165361.tif 000006
【手続補正書】
【提出日】平成22年9月16日(2010.9.16)
【手続補正１】
【補正対象書類名】実用新案登録請求の範囲
【補正対象項目名】全文
【補正方法】変更
【補正の内容】
【実用新案登録請求の範囲】
【請求項１】
リングの内面全周に渡り溝を設け、その溝に、リングの内径の直径具材
をはめ込み、溝の内面を自由に回転して、自由に移動できる様にし、直径 
具財の上に、移動可能な具財を取り付けて置く。  
その上で本体リングの内面に０．５度単位の目盛を付けて、直径具材を
本体内面の、中心点を軸として回転する事により描こうとする物体の角度
を知ることが出来、中心点を軸に直径具材の上を、中心点から本体リング
の外側に動かす事により直径具材の上に１ｍｍ単位で目盛を付けて、長さ
を知る事が出来る文具である。
アタッチメントとして、直径具材につけてある挿入口から鉛筆又は、ナ
イフを取り付ける事により描くか、切断するか用途を変える事が出来る。
【手続補正書】
【提出日】平成22年10月28日(2010.10.28)
【手続補正１】
【補正対象書類名】実用新案登録請求の範囲
【補正対象項目名】全文
【補正方法】変更
【補正の内容】
【実用新案登録請求の範囲】
【請求項１】
リングの内面全周に渡り溝を設け、その溝にリングの内径に直径部品をはめ込み、溝の内面を自由に回転して、自由に移動出来る様にして直径部品の上に移動可能な部品を取り付けて置き、その上で本体リングの内面に０.５度単位の目盛を付けて、直径部品を本体内面の中心点を軸として回転する事により、描こうとする物体の角度を知ることが出来る上、中心点を軸に直径部品の上を、中心点から本体リングの外側に動かす事により、直径部品の上に１ｍｍ単位で目盛を付けて長さを知る事出来る文具であり、アタッチメントとして、直径部品に設けてある挿入口に鉛筆又は、ナイフが取り付けられてなるコンパス、分度器及び三角定規の機能を併せ持った文具。
(57)【要約】      （修正有）【課題】遠赤外線を含んだ繊維布を、温めたい身体部分に対応する衣服の相当部位に貼り付けて使用する膝温め補助布を提供する。【解決手段】遠赤外線を含有した布Ｂの一面とシート状のウレタンスポンジＡの一面とを貼り合わせる事によって膝温め補助布を形成する。貼り合わせは、糊で接着、あるいは、熱処理にて接着することで端の解けないかつ歪の無い、外見もスマートな薄手の膝温め補助布となる。補助布は、ウレタン部と被服との摩擦によって被服に強固に張り付く。従って、補助布は容易にはがして使い回しができる。【選択図】図３
0003165367.tif 000002
【実用新案登録請求の範囲】
【請求項１】
着脱・使い回し可能膝温め補助布
【考案の詳細な説明】
【技術分野】
【０００１】遠赤外線を含んだ繊維布を膝・温めたい所の被服にあてる
【背景技術】
【０００２】被服が接する部分にウレタンを用いる。ウレタンの厚みは５ｍ／ｍもあれば充分衣類にくっついてくれるし、アウターにも影響は無い。但し、ウレタンスポンジと布を接着させる方法により、外見に及ぶ影響が見苦しいような物であっては求める意欲をそそらない。ミシンで縫い合わせると布とウレタンにひずみが生まれるし、端処理の問題も起きる。布の端を折り曲げて端が解けないようにするとアウターに響く。そこで、保温布をウレタンスポンジと糊で接着する。あるいは、熱処理にて接着させることで端の解けない歪の無い外見もスマートな薄手の保温布が完成。そしてそれは、切って使うことも可能である。
【考案の開示】
【考案が解決しようとする課題】
【０００３】冬の寒さから身を守る方法は万とある。中でも膝や肘などを寒さから守るアイテムも数多く有する我が国。しかしながら  その多くは使い捨てであったり、燃料の補給を有したり、高価な物であったりする。特に膝に巻きつけたりする物は膝を折り曲げる時等は膝の裏側に痛みや負担を伴う。何とか長く使えて、どこにでも置き換えられて、座る時等窮屈な思いをしなくても済む、そして安価な温湿布の様な物は出来ないものか。
【課題を解決する為の手段】
【０００４】そこで、低温で一日中張り付いていても火傷しないような、ジワーッと温かい遠赤外線を含有した布とウレタンスポンジを張り合わせた物が安価で長く使い回しができる事を考案した。ウレタンというのは  空気を多く含有する素材で被服との摩擦は想像以上であることは公知の所であり一日中でも被服に張り付いていてくれる。反対側の遠赤外線布も決して重くないただの布であるから。まず、はがれることは無い。織り込んだ腹巻や足サポーターなど高価な物をわざわざ買わなくてもどこにでも使える優れものである。
【考案の効果】
【０００５】装着して正座をしていても、膝の後ろは全く痛みも違和感も無い。
簡単な洗濯で長く使える  エコなグッズでもある。
【考案を実施する為の最良の形態】
【０００６】膝周囲よりも大き目で衣服と肌で擦れても角が捲れないように端は丸みをつけてカットする。
【実施例１】
【０００７】試作品を装着し一日中着けているのを忘れる位楽で違和感の無い懐炉のような物である。
【産業上の利用可能性】
【０００８】生地とウレタンの濃厚な摩擦関係は人間が被服を必要とする限り色々な所でアイデアを生かせる。遠赤外線布に関わらず今迄肌に密着していた物を離して考えられるようになるのではないか。例えば器に入った温かい食品を長く冷めないで欲しい時、スポンジウレタンと遠赤外線保温布の融合は最適。
【図面の簡単な説明】
【０００９】
【図１】  前から見た衣服貼り付け膝保温布
【図２】  後ろから見た衣服貼り付け膝保温布
【図３】  衣服貼り付け膝保温布の断面図
【図４】  装着した保温布を横からみた足図
【符号の説明】
【００１０】  Ａ    スポンジウレタン
Ｂ    遠赤外線含有布
Ｃ    ズボン
Ｄ    足
【図１】
0003165367.tif 000003
【図２】
0003165367.tif 000004
【図３】
0003165367.tif 000005
【図４】
0003165367.tif 000006
【手続補正書】
【提出日】平成22年10月21日(2010.10.21)
【手続補正１】
【補正対象書類名】実用新案登録請求の範囲
【補正対象項目名】全文
【補正方法】変更
【補正の内容】
【実用新案登録請求の範囲】
【請求項１】
遠赤外線を含有した布の一面とシート状のウレタンスポンジの一面とを貼り合わせる事によって形成した膝温め補助布。
(57)【要約】【課題】  印刷機の限られた取付けスペースでの本装置の脱着が容易で、周辺が汚れにくく、分解が簡単にでき、さらに組立てが一人で確実に短時間で容易に行なえるカップ式粘度自動制御装置を提供する。【解決手段】  センサ８で計測できる位置に確実に装着すべく下部クランプ１の４個の管２のうちの１つの内側にかん合すべくかん合金物４を本体ブラケット３に設け、上部クランプ７を保持すべくクランプブラケット５と保持金物６を設ける。【選択図】図１
0003165364.tif 000002
【実用新案登録請求の範囲】
【請求項１】
上部と下部が分離可能な本体を持ち、１組のセンサ（８）で計測できる位置に確実に装着すべく本体下部（１）の４個の管（２）のうちの１つの内側にかん合すべくかん合金物（４）を本体ブラケット（３）に設け、さらに上部クランプ（７）を保持すべくクランプブラケット（５）と保持金物（６）を設けた、一人で脱着作業しやすいカップ式粘度自動制御装置。
【考案の詳細な説明】
【技術分野】
【０００１】  本考案は、フレキソインクの粘度自動制御装置に関するものである。
【背景技術】
【０００２】  段ボールの印刷は通常フレキソ印刷である。  通常、使用量よりはるかに多くの水性のフレキソインクを循環させるが、揮発成分が蒸発し濃くなるため水を加えて希釈し粘度を一定にしている。  フレキソインクは非再溶解性なので一度乾燥し固体になると溶けて元のインクに戻らない。  すなわちインクの汚れは溶解しないで堆積する一方になるため、従来の種々のインク粘度自動制御装置は洗浄や掃除が大きな問題であった。  実案文献１のカップ式の装置を考案したが、やはり洗浄や掃除が問題である。  実案文献２はカップがかん合で所定位置に確実に脱着できるので分解、洗浄が容易になった。  本装置はカップの底の穴からのインクの流れを円筒状の本体に設けた管を通過するセンサの光線の遮光、通光を検知することによりその時間で粘度を測定し、制御する。  しかし、本体上部には図示しない多数の部品で構成される配管があり、ワンタッチ継手で脱着可能にしてあるが取付場所が狭く作業が制限されており自由に迅速には作業できない。  さらに本体下部が自由に動かせるため不慣れな人が装着するとセンサで確実に検出できなかったり、特に一人で作業する場合上部クランプが保持されていないと装着に時間がかかる場合がある。【０００３】
【実案文献１】
登録実用新案第３０６００５７号
【実案文献２】
登録実用新案第３１２３９３９号
【考案の開示】
【考案が解決しようとする課題】
【０００４】  印刷機の本装置の取付けスペースが限られている場合が多いが、狭いスペースでの脱着が容易で、周辺が汚れにくく、分解が簡単にでき、さらに洗浄後の組立てが一人で確実に短時間で容易に行なえる装置を提供する。
【課題を解決するための手段】
【０００５】  図１、２、３に基づき説明する。  本体を大きく上部と下部に２分割し、上部クランプ７で本体上部（９）と本体下部１を締め取外し可能とし、通常分解時に本体下部１から下を外せるようにし、本体上部９はハンガ（１０）で固定する。  図２のように本体下部の４ヶ所に９０度で均等振分けで短い管２があり、対面の２個がセンサの光の通過による検出用で、１個はかん合金物４が管の内側にかん合し位置決め時に使用する。  また図３のように、使用する位置付近に上部クランプ７を保持すべく本体ブラケット３に取付けたクランプブラケット５と保持金物６を持つ。
【考案の効果】
【０００６】  本考案により、一人で本体下部１の管２をかん合金物４にかん合させて位置決めした後大体の位置に保持された上部クランプ７を締めると、センサ８で確実に検出できる正常位置に本体がセットされるので分解掃除が楽で、洗浄作業後の組立作業も楽で確実になる。
【考案を実施するため最良の形態】
【０００７】  フレキソ印刷の場合インクの汚れが正確な粘度測定と制御の妨げになるため洗浄が問題になるので、基本的に本装置は簡単に取外し洗浄可能で、洗浄作業後の組立作業も楽で確実な装置にしておく必要がある。  以下、本考案の詳細を実施例に基づき説明する。
【実施例】
【０００８】  図１は本体の概略図で、本体は上部と下部に２分割で、上部クランプ７で締め本体上部９と本体下部１を連結し、通常の分解時には上部クランプ７を緩め本体下部１から下を外すようにし、本体上部９は本体ブラケット３とハンガ１０で固定する。  念入りな洗浄作業時は、図示しない本体上部９の上の配管系のワンタッチクランプを外しハンガ１０を緩め、本体上部９を本体ブラケット３から外す。  本体下部１の４ヶ所に９０度で均等振分けで管２があり、本体ブラケット３と平行な対面の２個がセンサ８の光の通過による検出用で、１個はかん合金物４と管の内側にかん合し位置決めに使用する。  図２に管２にかん合金物４がかん合した状態の断面図を示す。  図３は本体ブラケット３に取付けたクランプブラケット５、保持金物６および上部クランプ７で装着した保持部の概略図である。かん合金物と上部クランプ保持装置により、補助者がいなくても一人で分解、組立作業が容易にできる。
【産業上の利用可能性】
【０００９】  本考案の装置は、フレキソインクの粘度自動制御装置の問題点である分解、洗浄作業後の迅速で確実な組立に有効なので、利用の可能性は極めて高い。
【図面の簡単な説明】
【００１０】
【図１】  本考案の概略図である。
【図２】  本考案のかん合部の断面図である。
【図３】  本考案の上部クランプ保持部の概略図である。
【符号の説明】
【００１１】１  本体下部
２  管
３  本体ブラケット
４  かん合金物
５  クランプブラケット
６  保持金物
７  上部クランプ
８  センサ
９  本体上部
１０  ハンガ
【図１】
0003165364.tif 000003
【図２】
0003165364.tif 000004
【図３】
0003165364.tif 000005
【手続補正書】
【提出日】平成22年10月21日(2010.10.21)
【手続補正１】
【補正対象書類名】実用新案登録請求の範囲
【補正対象項目名】全文
【補正方法】変更
【補正の内容】
【実用新案登録請求の範囲】
【請求項１】
本体は本体上部（９）と９０度振分けの４個の管（２）を設けた本体下部（１）が上部クランプ（７）で簡単にセット可能で、本体ブラケット（３）に平行かつ水平に装着した１組のセンサ（８）で管２内を通過し検知できる位置に確実に本体下部１をセットするために段付き円筒状のかん合金物（４）を本体ブラケット３から直角に突出させ管２のうちの１つの内側にかん合し、さらに本体ブラケット３に取付けたクランプブラケット（５）から保持金物（６）で上部クランプ７を保持し容易に本体のセットが可能な、一人で脱着作業しやすいカップ式粘度自動制御装置。
(57)【要約】      （修正有）【課題】車内への路面からの走行音を遮断しつつ、ブッシュ２にストレスを与えることなく、ショックアブソーバーを動作させることが出来るノンストレススリーブ機構を提供する。【解決手段】ブッシュイン２（３）に自己潤滑性が高いＰＯＭ樹脂製の車種別スリーブを挿入してゴムブッシュ２を補強する。上記の構成により、最小の部品点数で、安価で、路面からの走行音の遮断が出来、且つある一定の作動域を超える動きがあったとしても回転にねじれ作用が無いデフマウントダンパー機構用のノンストレススリーブ機構を得る。【選択図】図２
0003165362.tif 000002
【実用新案登録請求の範囲】
【請求項１】
車種別自己潤滑性の高い樹脂ＰＯＭ製ノンストレススリーブ１を用い回転公差で製作変更することで，ゴムブッシュ２の回転にストレスを掛けず、路面からの走行音の遮断する事が出来る、ノンストレススリーブ機構である。
【考案の詳細な説明】
【技術分野】
【０００１】  本考案は、車両のディファレンシャルギアケースと車体側メンバーとの間に接合されているゴムブッシュを容易に補強することが出来るデフマウントダンパーに関する。
【背景技術】
【０００２】  車体への直接的な振動及び騒音を軽減する為にディファレンシャルギアケースと車体との間にゴムブッシュを使用しているが、サーキット走行などの使用においては、ゴムブッシュを硬くすることで動力が逃げずに動力がより多く路面に伝わり車両性能を高く引きだす事が出来る。【０００３】  ただ、ゴムブッシュを硬いものに交換するためには、専用工具や作業時間に多くを費やす為、費用と時間が掛かりすぎる。【０００４】ゴムブッシュの抜き替えをしない方法で、ゴムブッシュの両端に樹脂もしくは金属で押さえゴムブッシュの動きを強制的に規制する方法がある。
しかしながらこの方法では、ゴム本来の振動吸収が不可能になる問題が残ってしまう。
この改善策として、安価で、ゴムブッシュを使用且つ、回転作用においてのゴムブッシュへの回転作用によるストレスをなくす必要がある。
図１はゴムブッシュとそれを保持するアウターレースとの間に自己潤滑性の高い樹脂ＰＯＭスリーブ３を用いてゴムブッシュの回転にストレスを掛けない方法である。これをすることで、ゴムブッシュ本来の目的である路面からの走行音の遮断が出来、且つある一定の作動域を超える動きがあったとしても回転にねじれ作用が無い為、ゴムブッシュにストレスが掛からない。
しかしながらこの方法でも、価格の面での問題が残ってしまう。
【考案の概要】
【考案が解決しようとする課題】
【０００５】  解決しようとする問題点は、安価で、路面からの走行音の遮断が出来、且つある一定の作動域を超える動きがあったとしても回転にねじれ作用が無くゴムブッシュ２にストレスが掛からない点である。
【課題を解決するための手段】
【０００６】  本考案は、自己潤滑性の高い樹脂ＰＯＭを用い、一定の作動域を超える動きがあったとしても回転にねじれ作用が無くゴムブッシュにストレスが掛からないことを特徴とする。図２
【考案の効果】
【０００７】  本考案のノンストレススリーブ機構は、ゴムブッシュ２に内装される車種別スリーブ５をスチール製で圧入方式から車種別自己潤滑性の高い樹脂ＰＯＭ製ノンストレススリーブ１を用い回転公差で製作変更することで問題を解決できる。
【図面の簡単な説明】
【０００８】
【図１】図１はゴムブッシュ２とそれを保持するアウターレース４との間に自己潤滑性の高い樹脂ＰＯＭスリーブ３を用いてゴムブッシュ２の回転にストレスを掛けない方法を示した図である。
【図２】図２本考案を示した図である。
【考案を実施するための形態】
【０００９】  ゴムブッシュに内装される車種別スリーブ５を車種別自己潤滑性の高い樹脂ＰＯＭ製ノンストレススリーブ１を用い回転公差で製作変更することで、最小の部品点数で、安価で、路面からの走行音の遮断が出来、且つある一定の作動域を超える動きがあったとしても回転にねじれ作用が無くゴムブッシュ２にストレスの問題を損なわずに実現した。
【産業上の利用可能性】
【００１０】  車種別自己潤滑性の高い樹脂ＰＯＭ製ノンストレススリーブ１を用いたゴムブッシュ２は、今まで回転方向へのストレスを懸念して軸受けベアリングを使用していた箇所において、価格面では大幅に軽減でき、且つ機械などへの直接振動も軽減することが出来る。
【符号の説明】
【００１１】１  車種別自己潤滑性の高い樹脂ＰＯＭ製ノンストレススリーブ
２  ゴムブッシュ
３  自己潤滑性の高い樹脂ＰＯＭスリーブ
４  アウターレース
５  車種別スリーブ（スチール）
１０ショックアブソーバー
２（１）ゴム部
２（２）ブッシュアウター（スチール）
２（３）ブッシュインナー（スチール）
【図１】
0003165362.tif 000003
【図２】
0003165362.tif 000004
【手続補正書】
【提出日】平成22年10月19日(2010.10.19)
【手続補正２】
【補正対象書類名】実用新案登録請求の範囲
【補正対象項目名】全文
【補正方法】変更
【補正の内容】
【実用新案登録請求の範囲】
【請求項１】
ブッシュインナーにＰＯＭ樹脂製の車種別スリーブを挿入することを特徴とするノンストレススリーブ機構。
(57)【要約】      （修正有）【課題】ゴムスポンジで小さい形状の打抜き製品の、中抜きカスと製品の分離を一連の装置により簡単に出来て製品のみが短時間のうちに袋内に包装できる中抜きカスと製品の分離装置を提供する。【解決手段】エアー吹き出しによる中抜きカスの押し込みとパンチングプレート治具１２の裏側面に沿わした吸引ノズル１０のエアー吸引力により中抜きカスを吸い取り除去する装置と、同様の構造を有する装置を使用して中抜きカスを除去したシート材を製品分離用のパンチングプレート治具にセットして製品のみを分離して集積させる一連の装置とする。【選択図】図１
0003165374.tif 000002
【実用新案登録請求の範囲】
【請求項１】
固定ピン付のパンチングプレート冶具と、エアー吹き出しパイプと、前記プレート治具の裏側面に沿わせた前記パイプと同軸位置で取り付けた吸引ノズルとで構成する吸い取り治具を備え、前記パイプには小径のエアー吹き出し孔を設け、孔の配列位置は前記プレート冶具の穴と同軸位置であり、裁断機で連続的に打抜いたシート状の材料を前記のプレート冶具にセットして前記吸い取り冶具を横方向に移動させながら、前記パイプの下方向からのエアー吹き出しによる打抜き部の押し込みと吸引ノズルのエアー吸引力とにより打抜き部をシート材から分離し、吸引パイプを通して吸引ＳＵＳ缶内のメッシュ缶に集積させる打抜き部分離装置。
【請求項２】
中抜きの形状を有する製品を分離する装置であって、請求項１に記載の打抜き部分離装置にて、中抜きの形状を有する製品を連続的に打抜いたシート状の材料から中抜きカスを分離する中抜きカス分離部と、請求項１に記載の打抜き部分離装置にて中抜きカスが除去された中抜き形状を有する製品を連続的に打抜いたシート状の材料から中抜き形状の製品部を分離する製品分離部とを有する中抜き形状分離装置。
【考案の詳細な説明】
【技術分野】
【０００１】  本考案は、トムソン打抜きに係るもので比較的小さい製品の中抜きカスの除去と製品を分離して取り出しする装置に関するものである。
【背景技術】
【０００２】  シート材を打抜いた後に、中抜きカスがついた状態の製品を先ず手作業でシート材から分離取り出して、全てを取り出したら指先で中抜きカスを除去していた。
【先行技術文献】
【特許文献】
【０００３】
【特許文献１】  特開２００６−１６６３３０号公報
【特許文献２】  実開平５−７４７９９号公報
【考案の概要】
【考案が解決しようとする課題】
【０００５】  比較的小さい形状の打抜き製品の製品分離と、中抜き形状を有する製品の中抜きカスと製品の分離を手作業で行っているやり方から、中抜きカスの除去と製品の分離が簡単にできて製品のみを短時間のうちに袋内へ包装しようとするものである。
【課題を解決するための手段】
【０００６】  上記の課題を解決するためにこの考案は、エアー吹出しによる中抜きカスの押し込みと同時に吸引ノズルのエアー吸引力により中抜きカスを吸い取り除去する装置と、エアー吹出しによる製品部の押し込みと同時に吸引ノズルのエアー吸引力により製品を吸い取り、中抜きカスを除去した状態のシート材から製品のみを分離回収する一連の装置で解決している。【０００７】  また上述課題を解決するためにこの装置のパンチングプレート治具の穴寸法と形状は、中抜き形状と製品の寸法により設定し、吸引ノズルの幅と前記治具の隙間寸法とエアー吹き出しパイプからの下方向への吹き出しエアー量も打抜き材料の厚み、硬度、材質の違いにより設定することで解決している。【０００８】  また上述課題を解決するために前工程の打抜き用トムソン型刃のレイアウトは、中抜きカス及び製品の形状により角度をもたせて、エアー吹き出しによる中抜きカスの押し込みと製品の下方向への押し込み度合いを確保することで解決している。
【考案の効果】
【００１０】  上述のように本考案の装置は、打抜いたシート材の中抜きカスの除去と製品の分離取り出しを手作業で行っていたやり方と違って、中抜きカスの除去から製品の分離取り出し作業をエアー吹き出しと吸引ノズルの吸引力を利用したもので、連続した作業を可能とし、分離取出した製品を短時間のうちに袋内へ包装することができる。
【図面の簡単な説明】
【００１１】
【図１】この考案の要部を示す斜線図である。
【図２】上述要部の一部でエアー吹き出しパイプと吸引ノズルから構成される吸い取り治具の側面図である。
【図３】打抜きシート材の形状である。
【図４】上記図１で製品分離用の専用パンチングプレートをセットした状態を示す斜線図である
【考案を実施するための形態】
【００１２】  この考案の実施例を図１から図４に基づいて説明する。要部を示す図１は主としてエアー吹き出しパイプ１１とパンチングプレート冶具１２、その裏側面に前記パイプ１１と同軸位置で取り付けた吸引ノズル１０とで構成する吸い取り冶具と、固定ピン１３に打抜き済みのシート材をセットした後に、エアーコック１４を開け吸引起動ボタン２３を押して、図２で示す上記吸い取り治具を図１で示す矢印方向に移動させることで前記パイプ１１により吹き出されたエアーにより中抜きカス１６が下方向に押し込まれ、吸引ノズル１０の吸引力により中抜きカスを吸い取る吸引部からなる。
【００１３】  吸い取られた中抜きカス１６は吸引パイプ２０を通して吸引ＳＵＳ缶２１内のメッシュ缶２２に集積する。中抜きカス１６を除去したら、中抜き形状分離装置と同じ構造を有する打抜き部分離装置を使用して、中抜きカス１６を除去したシート材を製品分離用のパンチングプレート治具１５に載せて固定ピン１３にセット。エアーコック１４を開き吸引起動ボタン２３を押して図１の矢印方向に移動させながら、前記パイプ１１からの吹き出しエアーによる押し込みと吸引ノズル１０の吸引力により製品部１７を分離し、吸引パイプ２０を通して上述の吸引ＳＵＳ缶内のメッシュ缶２２に集積される。繰り返しの作業で規定のシート枚数分の分離作業を行った後に吸引ＳＵＳ缶の蓋を開けてメッシュ缶２２を取出し、缶内に集積した製品１７を取出してビニール袋に包装する。
【符号の説明】１０  吸引ノズル
１１  エアー吹き出しパイプ
１２  パンチングプレート治具
１３  固定ピン
１４  エアーコック
１５  製品分離用パンチングプレート冶具
１６  中抜きカス部
１７  製品部
２０  吸引パイプ
２１  吸引ＳＵＳ缶
２２  メッシュ缶
２３  吸引起動ボタン
【図１】
0003165374.tif 000003
【図２】
0003165374.tif 000004
【図３】
0003165374.tif 000005
【図４】
0003165374.tif 000006
(57)【要約】      （修正有）【課題】葬儀参列者の住所・氏名それに故人との関係等を記入でき、香典が収納できる封筒を提供する。【解決手段】封筒の表側に、葬儀参列者の住所・氏名それに故人との関係等を記入できる蘭を印刷し、裏面の上部にのり付テープで保護した閉じ部を設ける。参列者に記入してもらった封筒に、受取った香典を入れ、テープをはがして封をする。その後は、封筒の表側左端にある２個の綴じ穴に紐を通すか、ファイルにして束にして保存する。【選択図】図１
0003165328.tif 000002
【実用新案登録請求の範囲】
【請求項１】
表側に住所・氏名及び故人との関係等を記入する蘭を印刷し、左側端に綴じるための２個の穴をあける。裏側の上部には、中に入れたものが落下しないようにのり付きでテープで保護した閉じ部を設けた香典収納封筒。
【考案の詳細な説明】
【技術分野】
【０００１】
本考案は、葬儀参列者が受付係員等から手渡された紙製の香典収納封筒を受け取り、その封筒の表側に印刷された記入蘭に住所・氏名それに故人との関係等を記入し、持参した香典と一緒に受付係員等に渡すものである。
【背景技術】
【０００２】
従来、葬儀場の受け付けに備えられた記帳等に参列者は住所・氏名・故人との関係を記入していた。そして、持参した香典を一緒に添えて受付係に手渡していた。
【考案の概要】
【考案が解決しようとする課題】
【０００３】
そのために、次のような問題点があった。
従来、記帳等に記入し、同時に香典を受付係に渡していた。しかし、参列者が多数の場合は並んで順番がくるまで待たされた。香典を受け取った受付係は、記帳とは別にして香典を保管していた。そして葬儀終了後に、参列者の記帳と香典を会計係や喪主へ渡し、それ等を受取った者は名簿と香典を一致させるのに時間と手間がかかった。とくに大多数の参列者があった場合は大変であった。
本考案は、以上の問題点を解決するためになされたものである。
【課題を解決するための手段】
【０００４】
香典を収納する紙製の封筒の表側に、参列者の住所・氏名それに故人との関係等を記入する蘭を設ける。その封筒の中へ収納した香典が落ちて紛失しないように、封筒の裏側の上部には、閉封する部分を設け、のり付にし、テープで保護しておく。
【考案の効果】
【０００５】
葬儀終了後、会計係や喪主が、参列者の住所・氏名それに故人との関係等が書かれた収納封筒の表側の上部分に引かれた直線に沿ってハサミ等で切って開封し、香典を取り出し、金額を確認して、表側下部の金額蘭に金額を書き入れておけば、後日に配る香典返しの際、その金額に相当する品物を届けることができて便利である。また表側の左端に２つの穴を開けてあるので、そこに紐を通すか、ファイルにし、まとめて綴じて保存することができる。
【図面の簡単な説明】
【０００６】
【図１】本考案の正面（表）の平面図
【図２】本考案の裏面の平面図
【考案を実施するための形態】
【０００７】
以下、本考案の実施の形態について説明する。
（イ）紙製の香典収納封筒の表側に、参列者本人が記入する住所・氏名それに故人との関係等の蘭を印刷しておく。
（ロ）その封筒の裏側の上部には、内部に収納した香典が紛失しないように、のり付にし、その部分をすぐはがせるテープで保護しておく。
（ハ）受付係員等は、葬儀参列者に本考案の香典収納封筒の表側にある住所・氏名それに故人との関係等を記入してもらい、同時にいただいた香典を内部へ入れ、落下して、紛失しないように、裏側の上部にある、閉じる部分ののり付保護テープをはがし、のり付けして閉じるものである。
【符号の説明】
【０００８】
１    参列者の記入蘭
２    とじ紐を通す穴
３    封筒を閉じるのり付を保護するテープ
【図１】
0003165328.tif 000003
【図２】
0003165328.tif 000004
(57)【要約】【課題】  キーピッチが狭く、かつ、キートップとヒンジ部の連結が安定な連鎖型キー構造を実現する。【解決手段】  複数のキートップが一つのフレームに一体化した連鎖型キーの構造であって、合成樹脂による成型品からなる複数のキートップ１と、前記キートップ１の各々を保持する複数の保持部２と、前記保持部２の各々と後述するフレーム２０を連結する複数のヒンジ部２１と、前記複数のヒンジ部２１を一体化する前記フレーム２０と、を有し、前記保持部２と前記ヒンジ部２１の連結は前記保持部２の各々に対して２以上の前記ヒンジ部２１で連結し、前記フレーム２０の素材は金属材料であって、前記保持部２および前記フレーム２０および前記ヒンジ部２１は同一の金属材料で一体化された構造である。【選択図】  図１
0003165346.tif 000002
【実用新案登録請求の範囲】
【請求項１】
複数のキートップが一つのフレームに一体化した連鎖型キーの構造であって、
合成樹脂による成型品からなる複数のキートップと、前記キートップの各々を保持する複数の保持部と、前記保持部の各々とフレームを連結する複数のヒンジ部と、前記複数のヒンジ部を一体化するフレームと、を有し、
前記保持部と前記ヒンジ部の連結は前記保持部の各々に対して２以上の前記ヒンジ部で連結し、前記フレームの素材は金属材料であって、前記保持部および前記フレームおよび前記ヒンジ部は同一の金属材料で一体化された構造であることを特徴とする、キーピッチを狭くできる連鎖型キー構造。
【考案の詳細な説明】
【技術分野】
【０００１】
本考案は、電子機器に搭載される複数のキートップが一つのフレームに一体化した連鎖型キーに関するものである。
【背景技術】
【０００２】
複数のキートップが一つのフレームに一体化した連鎖型キーは、合成樹脂を素材とした成型品で構成されるのが一般的であり、合成樹脂によるヒンジ部は成型性や強度性を確保するために一定以上の厚みおよび幅が必要であった。このため、隣接するキートップは一定幅以上の間隔（キーピッチ）を空ける必要があり、この種の連鎖型キーの小型化には限界があった。
これを改善するために、ヒンジ部に金属材料を適用して、必要な強度を確保しつつ狭いキーピッチの連鎖型キーを実現する技術がある（例えば、特許文献１）。
しかしながら、特許文献１に記載されている連鎖型キーは、金属板に多数のヒンジ部を設け、合成樹脂による成型品であるキートップの１側面に金属板のヒンジ部を埋め込ませて、各キートップと各ヒンジ部を連結する構造となっているため、キートップとヒンジ部の連結が不安定であり、この連鎖型キーを電子機器に組み込む製造工程で不良を発生させる恐れがあった。
【先行技術文献】
【特許文献】
【０００３】
【特許文献１】実開平６−３８３５８
【考案の概要】
【考案が解決しようとする課題】
【０００４】
そこで、本考案は、キーピッチが狭く、かつ、キートップとヒンジ部の連結が安定な連鎖型キー構造を実現することにある。
【課題を解決するための手段】
【０００５】
上述した目的を達成するために、本考案は、複数のキートップが一つのフレームに一体化した連鎖型キーの構造であって、合成樹脂による成型品からなる複数のキートップと、前記キートップの各々を保持する複数の保持部と、前記保持部の各々とフレームを連結する複数のヒンジ部と、前記複数のヒンジ部を一体化するフレームと、を有し、前記保持部と前記ヒンジ部の連結は前記保持部の各々に対して２以上の前記ヒンジ部で連結し、前記フレームの素材は金属材料であって、前記保持部および前記フレームおよび前記ヒンジ部は同一の金属材料で一体化された構造であることを特徴とする。
【考案の効果】
【０００６】
本考案によれば、キーピッチが狭く、かつ、製造性に優れた連鎖型キー構造を実現できる。
【図面の簡単な説明】
【０００７】
【図１】本考案の実施形態における斜視図
【図２】連鎖型キーのフープ状態の正面図
【考案を実施するための形態】
【０００８】
以下、本考案の実施形態について図面を用いて説明する。
【０００９】
図１は、本考案の実施形態における斜視図である。複数のキートップが一つのフレームに一体化した連鎖型キーの構造であって、合成樹脂による成型品からなる複数のキートップ１と、前記キートップ１の各々を保持する複数の保持部２と、前記保持部２の各々と後述するフレーム２０を連結する複数のヒンジ部２１と、前記複数のヒンジ部２１を一体化する前記フレーム２０と、を有し、前記保持部２と前記ヒンジ部２１の連結は前記保持部２の各々に対して２以上の前記ヒンジ部２１で連結し、前記フレーム２０の素材は金属材料であって、前記保持部２および前記フレーム２０および前記ヒンジ部２１は同一の金属材料で一体化された構造である。
【００１０】
図２は、連鎖型キーのフープ状態の正面図である。前記フレーム２０をフープ化し前記フレーム２０の所定位置にロケーションホール２２を有することを示しており、塗装や印刷などの各種加工工程を高効率および高精度に行うことが可能になる。
以上説明した通り、本考案によれば、キーピッチが狭く、かつ、製造性に優れた連鎖型キー構造を実現できる。
【符号の説明】
【００１１】
１…キートップ、２…保持部、２０…フレーム、２１…ヒンジ部、２２…ロケーションホール
【図１】
0003165346.tif 000003
【図２】
0003165346.tif 000004
(57)【要約】      （修正有）【課題】降雨があがり、再競技前の溜水を除去し、グランドコンデションを整えるにより迅速且つ良好に整備でき、速やかに競技を再開し、事故防止に寄与するドラム式除水機を提供する。【解決手段】ドラム式除水機は、多口ドラムに吸水効率のよい吸水シートを巻きつけてあるため、水溜りに転がし接触効率よく吸水除水し、市販の吸水可能集塵機を接続運転することにより連続的に除水除去し、早期競技の再開を促すことが可能となる。【選択図】図２
0003165399.tif 000002
【実用新案登録請求の範囲】
【請求項１】
円筒形ドラム状パイプの周囲に、吸水用の穴をあけ、その周囲に吸水シートを巻き付けたことを特徴とするドラム式除水機。
【請求項２】
前期のドラムの片端に無回転軸兼ねた排水用パイプを設け吸水集塵機を取り付け可能としたことを特徴とする請求項１の記載のドラム式除水機。
【請求項３】
前記のドラムの内側に吸水集塵機接続の際、吸水部の容積を少なくし、吸水効率を高めるようさらにドラムを二重ドラムとし、移動用の手押しハンドルを設けたたことを特徴とする請求項１の記載のドラム式除水機。
【考案の詳細な説明】
【技術分野】
【０００１】この考案は、グランド等に降水した後、水溜りを吸水排水する構造に関する。
【背景技術】
【０００２】従来の排水は、ほうきで掃くか、吸水スポンジで吸水排除をしていた。
【考案の開示】
【考案が解決しようとする課題】
【０００３】しかしながら、以上の方法によれば、排水除去効率が悪く、より多くの時間を要し、また残水が多いため、競技の再開は困難であった。したがって、この溜り水をより迅速に吸水排除残水を少なくし、競技の早期再開を可能とした。
そこで、この考案は、錆にくい金属製又は塩化ビニール製の回転可能な円筒形ドラムに数多くの吸水口を開け、その周囲に吸水効率の良い吸水シートを巻きつけ、マジックテープで固定し、尚さらに吸水効率を高めるためにドラム内の容積を少なくする様に内部に密閉ドラムを内臓の二重ドラム式とし、この外部ドラムの両端は胴鏡で密閉し、片側の胴鏡の中心部分に吸水排水用の穴を開け、ベアリングユニットを取り付け無回転シャフトを差し込み固定、この無回転シャフトは排水可能なパイプ状とし、先端は市販の吸水除塵機のホースが接続できる形状にする。また反対側の胴鏡にもベアリングユニットを取り付け、穴の無いシャフトを固定し、両方のシャフトに手押し用のハンドルをループ状に渡して取り付けこれを手押し、ドラムのみ回転移動する。排水用パイプシャフトに市販の吸水可能な集塵機を接続起動させることにより、吸水シートに吸水された溜り水を迅速且つ連続的に除去排水可能とし、より効率的に吸水除水できる構造にしたドラム式除水機を提供することを課題とする。【０００４】  以上の課題を解決するために、第一考案は、腐食しない金属或いは塩化ビニールパイプのドラムに吸水口を多数空け、吸水効率のよい吸水シートを巻きつけマジックテープで固定したことを特徴とするドラム式除水機。また、第二考案はドラムに設けた片側のパイプシャフトを無回転式として吸水可能な集塵機を接続可能としたことを特徴とするドラム式除水機。  第三考案はドラム内の容積を少なくし、吸水排水効率を高めるよう更に内部に密閉ドラムを設けた二重ドラム式としたことを特徴とするドラム式除水機。
【考案の効果】
【０００５】第一考案、第二考案又は第三考案案によれば、競技中の降雨によりグランドコンデションが不良で競技続行不可能となり中断を余儀なくされ、降雨があがり再競技前の溜水を除去、グランドコンデションを整えるに、より迅速且つ良好に整備、速やかに競技再開、事故防止に寄与する。
【考案を実施するための最良の形態】
【０００６】  この考案の一実施形態を、図１図２図３に示す。
本体１は、金属製又は塩化ビニール製の外周に無数の穴１４空き円筒形であり、この本体１の外周に吸水率の高い吸水シート２を巻きつけ、シートの両端に縫い着けたマジックテープ３で固定する。ドラムの両端左右胴鏡４，５で密閉し一方の左胴鏡５のセンター部に排水吸水口６を空け、左ベアリングユニット７を取り付けて、無回転パイプシャフト８を接続固定し市販の吸水可能な集塵機のホース１３を接続連続し吸水排水を可能とし、もう一方の右胴鏡４にも右ベアリングユニット９も設け、穴の無い無回転シャフト１０を取り付けこの両シャフト８、９に渡し固定し、手押しハンドル１１をループ状に接続これを押し容易に本体１のみを回転移動出来るようにした。又本体１の内部に密閉した内臓ドラム１２を穴のない右胴鏡４に接続内臓し、内部容積を小さくして吸水排水を容易にする。【０００７】「実施形態の効果」
この実施形態によれば、最近の地球環境の変化に伴い、競技中の短時間の大量のゲリラ降雨で競技中断が余儀なくされ、降雨があがった後の再開が必要の場合、グランドに溜まった雨水を迅速に除去排水し、競技を安全に早期に再開可能とし、大会の場合、運営日程に出来るだけ危険を排除し支障をきたさないようにすることが可能となる。【０００８】「産業上の利用可能性」
最近の豪雨による、工場或いは住宅の床上浸水に利用使用することにより、災害から早期復旧を可能とする。
【図面の簡単な説明】
【０００９】
【図１】この考案の一実施形態を示す斜視図である。
【図２】この考案の一実施形態を示す断面図である。
【図３】この考案の一実施形態を示す立面図である。
【符号の説明】
【００１０】  １  本体    ２  吸水シート    ３  マジックテープ    ４  右胴鏡
５  左胴鏡    ６  排水吸水口    ７  左ベアリングユニット
８  無回転パイプシャフ    ９  右ベアリングユニット    １０  無回転シャフト
１１  手押しハンドル    １２  内臓ドラム    １３  集塵機ホース
１４  吸水口
【図１】
0003165399.tif 000003
【図２】
0003165399.tif 000004
【図３】
0003165399.tif 000005